(57)【要約】【課題】  本発明は、眼鏡ケースを開いた状態で眼鏡を保持することができると共に、レンズの拭き取りを行うことができる眼鏡拭き付きホルダーを備えた眼鏡ケースを提供することを目的とするものである。【解決手段】  本発明の眼鏡ケース１は、蝶番２によって上端開口状の眼鏡収納側ケース３と、この眼鏡収納ケース３の開口端に合致する蓋側ケース４とが連結枢支され、係止部５によって開閉自在な構成とし、さらに前記眼鏡収納側ケース３内には、眼鏡ＡのレンズＢを挟持するレンズ挟持部７が起立した状態で設けられる。【選択図】      図１
2006263335.tif 000002
【特許請求の範囲】
【請求項１】
蝶番によって上端開口状の眼鏡収納側ケースと、該眼鏡収納側ケースの開口端に合致する蓋側ケースとが連結枢支される眼鏡ケースにおいて、
前記眼鏡収納側ケース内に倒立可能な状態で立設されるとともに、双方の眼鏡レンズが挟持されるレンズ挟持部と、
前記レンズ挟持部内面に設けられるクリーナーを備えるとともに、前記蓋側ケースが開かれる際には前記レンズ挟持部が起立し、該蓋側ケースが閉められる際には該レンズ挟持部が倒伏する如き構成とする
ことを特徴とする眼鏡拭き付きホルダーを備えた眼鏡ケース。
【請求項２】
前記レンズ挟持部が水平方向に摺動自在とすることにより該レンズ挟持部間の距離を調整可能とする
ことを特徴とする請求項１記載の眼鏡拭き付きホルダーを備えた眼鏡ケース。
【請求項３】
前記レンズ挟持部内面とクリーナーとの間に低反発ウレタン部材を設ける
ことを特徴とする請求項１または２記載の眼鏡拭き付きホルダーを備えた眼鏡ケース。
【請求項４】
前記レンズ挟持部手前側面に蓄光部材を装着した
ことを特徴とする請求項１、２または３記載の眼鏡拭き付きホルダーを備えた眼鏡ケース。
【請求項５】
前記眼鏡収納側ケー内に、補聴器または筆記具のいずれかを収納できる収納部を設ける  ことを特徴とする請求項１、２、３または４記載の眼鏡拭き付きホルダーを備えた眼鏡ケース。  
【発明の詳細な説明】
【技術分野】
【０００１】
本発明は、眼鏡拭き機能を備えた眼鏡ケースに関する。詳しくはケースを開いた状態で眼鏡レンズの汚れを拭き取ることができる眼鏡拭き付きホルダーを備えた眼鏡ケースに係るものである。
【背景技術】
【０００２】
眼鏡ケースは一般にプラスチック成型品であって、下蓋と上蓋とが蝶番によって連結され、バネの付勢力や係止部材によって互いの開口端が合致するような構造とされる。したがって予備の眼鏡として携帯する、あるいは就寝後の保管として使用されており、常に眼鏡を掛けている場合では殆ど使用することがないのが現状である。
【０００３】
また、眼鏡拭き機能を備えた眼鏡ケースとして図７に示すものがある。この眼鏡拭き兼用眼鏡ケース１０１は、開口１０２が相対抗するように両端に２つの袋部１０３を形成し、これらの袋部１０３の少なくとも裏面側を眼鏡拭き用布材１０４で形成し、平坦形状では一方の袋部１０３の開口１０２を形成する布材先端から他方の袋部１０３の後奥端までの距離を折畳み時の眼鏡の長さより短くするとともに、開口１０２を押し拡げたときには折畳み時の眼鏡の長さより長くなるように構成される（特許文献１参照。）。
【０００４】
【特許文献１】実開平６−６９９３５号公報（要約書、第２図）
【発明の開示】
【発明が解決しようとする課題】
【０００５】
しかしながら一般では眼鏡は常時掛けていることが多く、眼鏡ケースの殆どは日頃活用されていないのが多く、前記特許文献１に示す眼鏡拭き機能を備えた眼鏡ケースであっても眼鏡を携帯する場合にしか活用することができず、眼鏡を常に掛けている場合にあってはレンズ拭き布で充分に間に合っているのが現状である。
【０００６】
いっぽう、高齢者の場合には老眼鏡と通常の眼鏡との併用が多くなり、また頻繁に通常の眼鏡との掛け替えが行われるごとに、眼鏡をテーブル上に載置する際にフレームやレンズ面が汚れたり、傷ついたりする問題がある。
【０００７】
本発明は、以上の点に鑑みて創案されたものであって、眼鏡ケースを開いた状態で眼鏡をスムーズに保持することができると共に、レンズの拭き取りを容易に行うことができ又、携帯時にはメガネを固定しているためにガタツキがない眼鏡拭き付きホルダーを備えた眼鏡ケースを提供することを目的とするものである。
【課題を解決するための手段】
【０００８】
上記の目的を達成するために、本発明に係る眼鏡拭き付きホルダーを備えた眼鏡ケースは、蝶番によって上端開口状の眼鏡収納側ケースと、該眼鏡収納側ケースの開口端に合致する蓋側ケースとが連結枢支され眼鏡ケースにおいて、前記眼鏡収納側ケース内に倒立可能な状態で立設されるとともに、双方の眼鏡レンズが挟持されるレンズ挟持部と、前記レンズ挟持部内面に設けられるクリーナーを備えるとともに、前記蓋側ケースが開かれる際には前記レンズ挟持部が起立し、該蓋側ケースが閉められる際には該レンズ挟持部が倒伏する如き構成とする。
【０００９】
ここで、蓋側ケースを開くことによってレンズ挟持部が起立し、眼鏡を掛けた状態から外した眼鏡をレンズ挟持部に挟み込むことで眼鏡を傷つけることなく一時的に保管することが可能となり、眼鏡の着脱・仮置きがスムーズに行うことができる。
【００１０】
また、クリーング時に眼鏡のレンズの拭き残しのないように左右レンズの中心に、左右レンズ挟持部の中心がくるようにレンズ挟持部を水平方向へ摺動自在に調整できる機構とする。
【００１１】
また、レンズ挟持部に対してクリーナーを着脱自在とすることにより、眼鏡レンズの拭き取りを継続することができ、かつ前記眼鏡収納側ケースおよび蓋側ケースの少なくとも片方の外壁面に、滑り止め部を設けることにより眼鏡をレンズ挟持部に対して左右の方向に繰返し移動することが可能となる。
【発明の効果】
【００１２】
以上の構成よりなる本発明の眼鏡拭き機能を備えた眼鏡ケースによれば、従来の眼鏡の携帯あるいは保管として使用する以外に、眼鏡ケースを開いた状態でテーブルなどに載置し、眼鏡の取り外しの際に眼鏡を保持することが可能となる。
【００１３】
また眼鏡を保持した状態で、眼鏡を左右、上下に移動させることによってレンズ挟持部内面に装着されるレンズクリーナーによってレンズの汚れを拭き取ることが可能となる。
【００１４】
また、レンズ挟持部手前面に蓄光部材を装着することにより、暗がりで眼鏡の置き場所が容易に確認することができ、さらに蓋側ケースを閉めた状態で眼鏡と補聴器、あるいは筆記具の固定が低反発部材によってガタつきなく行うことができる。
【発明を実施するための最良の形態】
【００１５】
以下、本発明の実施の形態を図面を参酌しながら説明し、本発明の理解に供する。
図１は、本発明を適用した眼鏡拭き付きホルダーを備えた眼鏡ケースの一実施例を示す斜視図、図２は、図１における眼鏡ケースを閉めた状態を示す斜視図、図３は、本発明を適用した眼鏡拭き付きホルダーを備えた眼鏡ケースのレンズ挟持部の倒立機構の一例を示す断面説明図、図４は、図３におけるレンズ挟持部へのレンズの挟持状態を示す断面説明図、図５は、図３におけるレンズ挟持部の平面説明図、図６は、図５中E−E線における断面説明図、図７は、図３におけるレンズ挟持部の水平摺動機構の一例を示す説明図である。
【００１６】
ここで示す眼鏡ケース１は、蝶番２によって上端開口状の眼鏡収納側ケース３と、この眼鏡収納ケース３の開口端に合致する蓋側ケース４とが連結枢支され、係止部５によって開閉自在な構成とされる。
【００１７】
そこで前記眼鏡収納側ケース３内には、補聴器又は筆記具収納部６が形成され、この補聴器又は筆記具収納部６に対応する蓋側ケース４内には低反発ウレタン材などにより形成される補聴器又は筆記具押さえ部１５が設けられる。したがって就寝や携帯時などに左右の補聴器、又は筆記具を補聴器又は筆記具収納部６内に収納する際に補聴器又は筆記具押さえ部１５によってズレない状態で収納できる構成とするものである。そして眼鏡収納側ケース３の蝶番側には、眼鏡ＡのレンズＢを挟持するレンズ挟持部７が起立した状態で設けられる。
【００１８】
このレンズ挟持部７は、図１に示すように蓋側ケース４を開けることによって起立した状態となり、図２に示すように蓋側ケース４を閉じる場合には、レンズ挟持部７が眼鏡収納側ケース３内へ倒伏して眼鏡とともに眼鏡ケース１内に収納できる構成とするものである。
【００１９】
ここで、図３に示すように、眼鏡収納側ケース３内の蝶番側にレンズ挟持部支持板部８が立設され、このレンズ挟持部支持板部８上にレンズ挟持部７が連結枢支される。そしてレンズ挟持部７の基部側と蓋側ケース４の内壁面とを連結部９によって連結枢支するものである。したがって、蓋側ケース４を図中Ｃ矢印方向へ開く際には、連結部９によりレンズ挟持部７がレンズ挟持部支持板部８との連結部分を支点として起立し、蓋側ケース４が完全に開いた場合に、眼鏡収納側ケース３側へ３０度ほど傾いた状態で停止するような構成とするものである。
【００２０】
また、レンズ挟持部７の挟持横幅は眼鏡レンズの横幅の半分から２／３ほどに設定され、その内側面に低反発ウレタン部材１３を介してクリーナー１０が設けられる。そしてレンズ挟持部７の最奥部および中途部に眼鏡縁が係留する窪み部１１が形成される。
【００２１】
これにより図４および図５に示すように、レンズＢの汚れを拭き取る場合には、レンズＢをレンズ挟持部７の最奥部まで押込むことによってレンズＢを保持する眼鏡縁部Ｄが窪み部１１に係合するとともにレンズＢの両側面にレンズ挟持部７内面に設けられるクリーナー１０が低反発ウレタン部材１３によってレンズ面に均等圧で密接する状態となる。
【００２２】
また、眼鏡を単にレンズ挟持部７によって仮置きする場合には、レンズ挟持部７の中途部の窪み部１１に眼鏡縁部Ｄを係留させることで眼鏡の仮置き固定が可能となる。
ここで、レンズ挟持部７の手前側面に蓄光部材１４を設け、この蓄光部材１４によって夜間でも眼鏡を認知できる構成とする。
【００２３】
また、図４および図５に示すように、レンズ挟持部７はレンズＢの曲面に応じて曲面形状に形成され、さらにクリーナー１０とレンズ挟持部７内面との間に設けられる厚さ３〜４ｍｍほどの低反発ウレタン部材１３によってレンズＢ面に対して隙間なく密接した状態となり、眼鏡の左右・上下への移動を繰り返すことでレンズＢ面の汚れをクリーナー１０によって均一圧で拭き取ることが可能となる。
【００２４】
また、レンズＢを左右に移動させる際に眼鏡ケース１が左右に滑らなくするために、眼鏡収納側ケース３および蓋側ケース４のすくなくとも一方の外側壁面に摩擦係数の大きいゴム部材又は吸盤により形成される滑り止め部１２を貼着するものであり、これによりレンズＢを左右に移動させる際には眼鏡収納側ケース３がテーブルなどの上面に固定されることでレンズＢの左右への安定した移動が可能となる。
【００２５】
いっぽう、眼鏡の種類および個人に応じて左右のレンズ間の距離が微妙に違うことが多く、そのためにレンズ挟持部７間の距離を調整する必要性が生じる。この調整機構の一例として図７に示すように、レンズ挟持部支持板部８上にレンズ挟持部７の基端が水平方向に摺動自在な状態で嵌合され、レンズ間の距離に応じて移動調整を行う係止させる構成とするものである。
【００２６】
なお、レンズ挟持部はプラスチックなどの適度の弾性のある合成樹脂素材により形成することが望ましく、レンズ挟持部に装着されるクリーナーは、定期的に取り替える必要があるために、レンズ挟持部に対して又はレンズ挟持部ごと交換できる構成とすることが望ましい。
【００２７】
ここで、レンズ挟持部の倒立機構は必ずしも本実施例で詳述するものではなく、眼鏡ケースの開閉によってレンズ挟持部が起立および倒伏する機構であればいかなる機構であっても構わない。
【００２８】
以上の構成よりなる本発明では図１に示すように、読書や仕事などで眼鏡を頻繁に着脱する場合や就寝時の眼鏡の保管として活用するものであり、蓋側ケース４を開くことによってレンズ挟持部７が起立し、眼鏡Ａを掛けた状態から外しレンズ挟持部７に挟み込むことで眼鏡を傷つけることなく一時的に保管することが可能となる。
【００２９】
また、この状態で眼鏡Ａを左右・上下への移動を繰り返すことによりレンズ挟持部７内面に装着されたクリーナー１０によってレンズＢの汚れが拭き取られることになり、労せずにレンズの拭き取りが行えるものである。
【００３０】
また、眼鏡Ａを携帯する場合には、レンズＢをレンズ挟持部７に挟んだ状態で眼鏡のツルを折畳んで図２に示すように蓋側ケース４を閉めることによって眼鏡Ａをレンズ挟持部７によって保持した状態で眼鏡ケース１内に収納することができる。
【図面の簡単な説明】
【００３１】
【図１】本発明を適用した眼鏡拭き付きホルダーを備えた眼鏡ケースの一実施例を示す斜視図である。
【図２】図１において蓋側ケースを閉めた状態を示す斜視図である。
【図３】本発明を適用した眼鏡拭き付きホルダーを備えた眼鏡ケースのレンズ挟持部の倒立機構の一例を示す説明図である。
【図４】図３におけるレンズ挟持部へのレンズの挟持状態を示す説明図である。
【図５】図３におけるレンズ挟持部の平面説明図である。
【図６】図５における図中E−E線における断面説明図である。
【図７】図３におけるレンズ挟持部の水平摺動機構の一例を示す説明図である。
【図８】従来の眼鏡ケースの一例を示す説明図である。
【符号の説明】
【００３２】
１      眼鏡ケース
２      蝶番
３      眼鏡収納側ケース
４      蓋側ケース
５      係止部
６      補聴器又は筆記具収納部
７      レンズ挟持部
８      レンズ挟持部支持板部
９      連結部
１０    クリーナー
１１    窪み部
１２    滑り止め部
１３    低反発ウレタン部材
１４    蓄光部材
１５    補聴器又は筆記具押さえ部
【図１】
2006263335.tif 000003
【図２】
2006263335.tif 000004
【図３】
2006263335.tif 000005
【図４】
2006263335.tif 000006
【図５】
2006263335.tif 000007
【図６】
2006263335.tif 000008
【図７】
2006263335.tif 000009
【図８】
2006263335.tif 000010